(57)【要約】【課題】  ユーザと、該ユーザと共通のテーマに興味を有することが保証された他のユーザとの間で、該テーマに係る情報を交換するためのコミュニティを容易に作成するコミュニティサーバを提供する。【解決手段】  コミュニティサーバが、ネットワーク側で管理される第２の携帯端末のネットワーク情報を管理するネットワーク情報管理部と、第２の携帯端末のネットワーク情報に対して設定された分類条件を管理する分類条件管理部と、分類条件に合致する第２の携帯端末のグループを作成するグループ作成部と、グループ作成部によって作成されたグループに係る情報を第１の携帯端末に送信する送信部と、第１の携帯端末と該第１の携帯端末によって指定された範囲内のグループに属する第２の携帯端末との間で所定の題材に係る情報を交換するためのコミュニティを作成するコミュニティ作成部とを具備する。【選択図】  図８
2005209003.tif 000002
【特許請求の範囲】
【請求項１】
第１の携帯端末と第２の携帯端末との間で所定の題材に係る情報を交換するためのコミュニティを作成するコミュニティサーバであって、
ネットワーク側で管理される前記第２の携帯端末のネットワーク情報を管理するネットワーク情報管理部と、
前記第２の携帯端末のネットワーク情報に対して設定された分類条件を管理する分類条件管理部と、
前記分類条件に合致する前記第２の携帯端末のグループを作成するグループ作成部と、
前記グループ作成部によって作成された前記グループに係る情報を前記第１の携帯端末に送信する送信部と、
前記第１の携帯端末と該第１の携帯端末によって指定された範囲内の前記グループに属する前記第２の携帯端末との間で前記所定の題材に係る情報を交換するための前記コミュニティを作成するコミュニティ作成部とを具備することを特徴とするコミュニティサーバ。
【請求項２】
前記分類条件管理部は、複数の前記分類条件を管理し、
前記グループ作成部は、複数の前記分類条件に合致するグループを作成することを特徴とする請求項１に記載のコミュニティサーバ。
【請求項３】
前記グループに係る情報は、前記分類条件に従って所定の座標軸が設定された座標空間上に前記グループを表示するための情報であることを特徴とする請求項１又は請求項２に記載のコミュニティサーバ。
【請求項４】
前記第２の携帯端末のネットワーク情報は、前記第２の携帯端末の位置に係る情報、又は、前記第２の携帯端末による通信の履歴に係る情報、又は、前記第２の携帯端末の契約に係る情報であることを特徴とする請求項１乃至請求項３に記載のコミュニティサーバ。
【請求項５】
前記送信部は、前記第１の携帯端末によって指定された範囲内のグループに属する前記第２の携帯端末に対して、前記コミュニティへの登録を勧誘するための勧誘情報を送信することを特徴とする請求項１乃至請求項４に記載のコミュニティサーバ。
【発明の詳細な説明】
【技術分野】
【０００１】
第１の携帯端末と第２の携帯端末との間で、所定の題材（テーマ）に係る情報を交換するためのコミュニティを作成するコミュニティサーバに関する。
【背景技術】
【０００２】
従来、ネットワーク上のコミュニティサイト（掲示板やチャットルーム等）を利用することによって、ユーザが、興味を有するテーマ（趣味や仕事等）について、他のユーザと該テーマに係る情報を交換する方法が知られている。
【０００３】
具体的には、他のユーザと所定のテーマに係る情報を交換する方法としては、既存のコミュニティサイトに登録する方法が考えられる。以下において、この方法について説明する。
【０００４】
ユーザは、各コミュニティサイトにキーワード（例えば、趣味や仕事等の内容、年齢、地域等に係るキーワード）を関連付けて記憶するコミュニティサーバに接続する。また、ユーザは、該キーワードを順次選択（例えば、趣味→ペット→犬の順に選択）することによって、コミュニティサイトを検索する。これにより、ユーザは、該ユーザが興味を有するテーマに係る既存のコミュニティサイトに登録し、該コミュニティサイトに登録された他のユーザと所定のテーマに係る情報を交換することができる（例えば、非特許文献１）。
【非特許文献１】ヤフー株式会社、“Yahoo掲示板”、[online]、[平成１６年１月５日検索]  インターネット＜URL：http://messages.yahoo.co.jp/index.html＞
【発明の開示】
【発明が解決しようとする課題】
【０００５】
しかしながら、既存のコミュニティサイトに参加する場合には、既存のコミュニティサイトに予め関連付けられたキーワード（趣味や仕事等の内容、年齢、地域等に係るキーワード）が、該コミュニティサイトの管理者等によって任意に設定されるため、該コミュニティサイトのテーマが的確に表現されていないキーワードが設定されたり、該コミュニティサイトのテーマとは無関係なキーワードが意図的に設定されたりする可能性がある（信頼性に欠ける）。また、ユーザは、コミュニティサイトが該コミュニティサイトに係るテーマに興味がある（又は、条件に該当する）他のユーザによって構成されているか否か確認することができない。
【０００６】
また、コミュニティサイトに係るテーマに興味がない（又は、条件に該当しない）ユーザであっても、該コミュニティサイトに登録することができる。例えば、「１８歳以上」、「神奈川県に在住」及び「社会人」という条件を設定したコミュニティサイトを作成した場合であっても、ユーザに係る情報を偽れば、誰でもコミュニティサイトに登録することができる。
【０００７】
すなわち、コミュニティサーバは、ユーザが、該ユーザと共通のテーマに興味を有する他のユーザと、該テーマに係る情報を交換するためのコミュニティサイトを提供することができない場合があるという問題があった。
【０００８】
そこで、本発明は、上述の問題を解決するためになされたものであり、ユーザと、該ユーザと共通のテーマ（趣味や仕事等）に興味を有する他のユーザとの間で、該テーマに係る情報を交換するためのコミュニティを作成することができるコミュニティサーバを提供することを目的とする。
【課題を解決するための手段】
【０００９】
本発明の第１の特徴は、第１の携帯端末と第２の携帯端末との間で所定の題材に係る情報を交換するためのコミュニティを作成するコミュニティサーバが、ネットワーク側で管理される第２の携帯端末のネットワーク情報を管理するネットワーク情報管理部と、第２の携帯端末のネットワーク情報に対して設定された分類条件を管理する分類条件管理部と、分類条件に合致する第２の携帯端末のグループを作成するグループ作成部と、グループ作成部によって作成されたグループに係る情報を第１の携帯端末に送信する送信部と、第１の携帯端末と該第１の携帯端末によって指定された範囲内のグループに属する第２の携帯端末との間で所定の題材に係る情報を交換するためのコミュニティを作成するコミュニティ作成部とを具備することを要旨とする。
【００１０】
かかる特徴によれば、コミュニティサーバが、ネットワーク側で管理される信頼性の高い情報（第２の携帯端末のネットワーク情報）に対して設定された分類条件に合致するグループを作成するとともに、作成したグループに係る情報を第１の携帯端末に送信することにより、コミュニティサーバは、第１の携帯端末のユーザと、該ユーザと共通の題材（テーマ）に興味を有する他のユーザ（第２の携帯端末のユーザ）との間で、該題材に係る情報を交換するためのコミュニティを作成することができる。
【００１１】
なお、コミュニティサーバは、コミュニティに参加する意思を表示しているユーザの携帯端末（第２の携帯端末）のみについて、分類条件に合致するグループを作成するものとする。
【００１２】
本発明の第１の特徴において、分類条件管理部が複数の分類条件を管理し、グループ作成部が複数の分類条件に合致するグループを作成することが好ましい。
【００１３】
本発明の第２の特徴は、本発明の第１の特徴において、グループに係る情報が、分類条件に従って所定の座標軸が設定された座標空間上に、該分類条件に合致するグループを表示するための情報であることを要旨とする。
【００１４】
かかる特徴によれば、コミュニティサーバが、分類条件に合致するグループを座標空間上に表示するための情報を第１の携帯端末に送信することにより、第１の携帯端末のユーザは、該ユーザと共通のテーマに興味を有する他のユーザが属するグループの範囲を、容易に指定することができる。
【００１５】
本発明の第１の特徴又は第２の特徴において、第２の携帯端末のネットワーク情報が、第２の携帯端末の位置に係る情報、又は、第２の携帯端末による通信の履歴に係る情報、又は、第２の携帯端末の契約に係る情報であることが好ましい。
【００１６】
本発明の第３の特徴は、本発明の第１の特徴又は第２の特徴において、送信部が、第１の携帯端末によって指定された範囲内のグループに属する第２の携帯端末に対して、コミュニティへの登録を勧誘するための勧誘情報を送信することを要旨とする。
【００１７】
かかる特徴によれば、コミュニティサーバが、コミュニティへの登録を勧誘するための勧誘情報を第１の携帯端末（ユーザ）によって指定された範囲内に属する第２の携帯端末に送信することにより、コミュニティサーバは、第１の携帯端末のユーザがコミュニティを作成する際における負担を軽減することができる。
【００１８】
なお、コミュニティサーバが、第１の携帯端末（ユーザ）によって指定された範囲内に属する第２の携帯端末（ユーザ）のうち、コミュニティに参加する意思を表示しているユーザの第２の携帯端末に対してのみ、上述の勧誘情報を送信することが好ましい。
【００１９】
これにより、第１の携帯端末のユーザがコミュニティを作成する手順、及び、第２の携帯端末のユーザが該コミュニティに参加する手順を簡単にすることができる。また、コミュニティサーバが、コミュニティに参加する意思を表示していないユーザの携帯端末に対して、勧誘情報を送信する必要がなくなる。
【００２０】
さらに、コミュニティサーバが、第１の携帯端末（ユーザ）によって指定された範囲内に属する第２の携帯端末（ユーザ）に対して、上述の勧誘情報に加えて、分類条件に従って所定の座標軸が設定された座標空間上にグループを表示するための情報（グループに係る情報）を送信することが好ましい。
【００２１】
これにより、第２の携帯端末のユーザは、参加を勧誘されたコミュニティの信頼性（コミュニティに参加するユーザが、該ユーザと共通のテーマに興味を有するか否か）を容易に確認することができる。
【発明の効果】
【００２２】
本発明によれば、ユーザと、該ユーザと共通のテーマ（趣味や仕事等）に興味を有することが保証された他のユーザとの間で、該テーマに係る情報を交換するためのコミュニティを容易に作成するコミュニティサーバを提供することができる。
【発明を実施するための最良の形態】
【００２３】
（本発明の一実施形態に係るコミュニティサーバの構成）
以下において、本発明の一実施形態に係るコミュニティサーバの構成について、図面を参照しながら説明する。
【００２４】
図１は、本発明の一実施形態に係るコミュニティサーバが適用される環境について示す図である。
【００２５】
同図に示すように、コミュニティサーバ３０は、ネットワーク４０を介して、複数の携帯端末（携帯端末１０ａ乃至携帯端末１０ｃ）と、管理サーバ２０とに接続されている。なお、携帯端末１０ａ乃至携帯端末１０ｃは、同一の機能及び構成を有するものであるため、以下においては、携帯端末１０ａを例に説明する。
【００２６】
携帯端末１０ａは、ネットワーク４０を介して所定のデータを送受信する携帯電話やＰＨＳ等の端末である。また、携帯端末１０ａは、ネットワーク４０を介して受信したデータ等を表示する表示部１１ａを有する。
【００２７】
管理サーバ２０は、携帯端末１０ａに係る情報を管理するサーバ（例えば、ＨＬＲ（Ｈｏｍｅ  Ｌｏｃａｔｉｏｎ  Ｒｅｇｉｓｔｅｒ）である。具体的には、以下に示す通りである。図２は、本発明の一実施形態に係る管理サーバ２０の構成を示すブロック図である。
【００２８】
同図に示すように、管理サーバ２０は、受信部２１と、送信部２２と、位置情報管理部２３と、位置情報ＤＢ２４と、契約情報管理部２５と、契約情報ＤＢ２６と、履歴情報管理部２７と、履歴情報ＤＢ２８とを具備する。
【００２９】
受信部２１及び送信部２２は、ネットワーク４０を介して所定のデータを送受信する。
【００３０】
位置情報管理部２３は、携帯端末１０ａの位置（在圏エリア）に係る情報（以下、位置情報）を管理する。具体的には、位置情報管理部２３は、携帯端末１０ａの位置情報を、ネットワーク４０（携帯端末１０ａが接続する基地局及び該基地局が接続する無線制御装置）を介して取得する。また、位置情報管理部２３は、携帯端末１０ａの位置が変更された場合（携帯端末１０ａが接続する基地局が変更された場合）にも、携帯端末１０ａの位置情報をネットワーク４０（携帯端末１０ａが接続する基地局及び該基地局が接続する無線制御装置）を介して取得する。
【００３１】
なお、携帯端末１０ａの位置情報（在圏情報）は、携帯端末１０ａの位置を特定するための情報であり、例えば、携帯端末１０ａが接続する基地局の住所（例えば、東京都  港区  ・・・）等である。
【００３２】
位置情報ＤＢ２４は、位置情報管理部２３によって取得された携帯端末１０ａの位置情報、及び、該位置情報の履歴を記憶しているデータベースである。すなわち、位置情報ＤＢ２４は、携帯端末１０ａの移動履歴（位置情報の履歴）を記憶している。
【００３３】
契約情報管理部２５は、携帯端末１０ａの契約に係る情報（以下、契約情報）を管理する。具体的には、契約情報管理部２５は、携帯端末１０ａのユーザ（以下、ユーザＡ）が携帯端末１０ａを契約した際に登録された契約情報（ユーザＡの氏名、ユーザＡの年齢、ユーザＡの性別、ユーザＡの住所、携帯端末１０ａの番号、携帯端末１０ａのメールアドレス、ユーザＡの職業等）を、ネットワーク４０を介して取得する。また、契約情報管理部２５は、携帯端末１０ａの契約情報が変更された場合には、変更された後の契約情報を、ネットワーク４０を介して取得する。
【００３４】
契約情報ＤＢ２６は、契約情報管理部２５によって取得された契約情報を記憶しているデータベースである。具体的には、以下に示す通りである。図３は、本発明の一実施形態に係る契約情報ＤＢ２６を示す図である。
【００３５】
同図に示すように、契約情報ＤＢ２６は、ユーザＡの氏名（Ａ）と、ユーザＡの年齢（３０）と、ユーザＡの性別（男）と、ユーザＡの住所（東京都・・・）と、携帯端末１０ａの携帯番号（090・・・）と、携帯端末１０ａのメールアドレス（ＡＡＡ＠・・・）と、ユーザＡの職業（会社員）とを関連付けて記憶している。
【００３６】
履歴情報管理部２７は、携帯端末１０ａによる通信の履歴に係る情報（以下、履歴情報）を管理する。具体的には、履歴情報管理部２７は、携帯端末１０ａによってアクセスされたＵＲＬ、携帯端末１０ａによって送受信されたメールの相手先名、携帯端末１０ａによって発着信された相手先電話番号等を、ネットワーク４０を介して取得する。また、履歴情報管理部２７は、取得したＵＲＬ及びメールの相手先名及び相手先電話番号に基づいて、これらの情報にそれぞれ関連付けられた分類条件（例えば、ペット、ニュース）を取得する。
【００３７】
なお、ＵＲＬ及びメールの相手先名及び相手先電話番号には、分類条件が予め関連付けられているものとする。
【００３８】
履歴情報ＤＢ２８は、履歴情報管理部２７によって取得されたＵＲＬ、メールの相手先名（メールアドレス）、相手先電話番号、及び、分類条件を関連付けて記憶している。具体的には、以下に示す通りである。図４は、本発明の一実施形態に係る履歴情報ＤＢ２８を示す図である。
【００３９】
同図に示すように、履歴情報ＤＢ２８は、ユーザＡの氏名（Ａ）と、携帯端末１０ａによってアクセスされたＵＲＬに係る情報と、携帯端末１０ａによって送受信されたメールの相手先に係る情報と、携帯端末１０ａによって発着信された相手先に係る情報とを関連付けて記憶している。
【００４０】
なお、携帯端末１０ａによってアクセスされたＵＲＬに係る情報には、該ＵＲＬ名（例えば、ｗｗｗ．ａａａ・・・）と、該ＵＲＬに関連付けられた分類条件（例えば、大分類条件＝ペット、中分類条件＝犬、小分類条件＝柴犬）と、該ＵＲＬにアクセスした回数（例えば、３）とが含まれている。
【００４１】
また、携帯端末１０ａによって送受信されたメールの相手先に係る情報には、該相手先名（例えば、ａａａ＠・・・）と、該相手先に関連付けられた分類条件（例えば、大分類条件＝旅行、中分類条件＝国内、小分類条件＝沖縄）と、該相手先とメールを送受信した回数（例えば、１）とが含まれている。
【００４２】
さらに、携帯端末１０ａによって発着信された電話の相手先に係る情報には、該相手先電話番号（例えば、０９０・・・）と、該相手先電話番号に関連付けられた分類条件（例えば、大分類条件＝音楽、中分類条件＝洋楽）と、該相手先電話番号と電話を発着信した回数（例えば、１）とが含まれている。なお、携帯端末１０ａによって発着信された電話の相手先に係る情報には、発着信が行われた時刻、発信時に接続が完了したか否か、通信時間等が含まれていてもよい。
【００４３】
なお、本実施形態において、位置情報管理部２３及び契約情報管理部２５及び履歴情報管理部２７は、ネットワーク側で管理される第２の携帯端末のネットワーク情報を管理するネットワーク情報管理部を構成する。
【００４４】
コミュニティサーバ３０は、管理サーバ２０によって管理される携帯端末１０ａのネットワーク情報を取得するサーバである。また、コミュニティサーバ３０は、ユーザと、該ユーザと共通のテーマに興味を有する他のユーザとが、該テーマに係る情報を交換するコミュニティ（例えば、掲示板やチャットルーム）を作成するサーバである。なお、コミュニティサーバ３０は、コミュニティを作成するためのポータルサイトを提供するものとする。
【００４５】
具体的には、以下に示す通りである。図５は、本発明の一実施形態に係るコミュニティサーバ３０の構成を示すブロック図である。
【００４６】
同図に示すように、コミュニティサーバ３０は、受信部３１と、送信部３２と、プロファイル管理部３３と、プロファイルＤＢ３４と、分類条件ＤＢ３５、表示データ生成部３６と、コミュニティ管理部３７と、コミュニティＤＢ３８とを具備する。
【００４７】
受信部３１及び送信部３２は、ネットワーク４０を介して所定のデータを送受信する。
【００４８】
なお、本実施形態において、送信部３２は、後述する表示データ生成部３６によって作成されたグループに係る情報を第１の携帯端末に送信する送信部を構成する。
【００４９】
プロファイル管理部３３は、携帯端末１０ａに係る契約情報と、携帯端末１０ａの位置情報と、携帯端末１０ａに係る履歴情報とを、携帯端末１０ａのネットワーク情報として管理サーバ２０から取得する。また、プロファイル管理部３３は、コミュニティサーバ３０によって提供されるポータルサイトに携帯端末１０ａのユーザＡが登録する際に、該ユーザＡによって設定された分類条件（後述する分類条件ＤＢ３５に記憶された分類条件の中からユーザＡによって選択される分類条件）を、携帯端末１０ａから取得する。
【００５０】
プロファイルＤＢ３４は、プロファイル管理部３３によって取得された各情報を関連付けて記憶している。具体的には、以下に示す通りである。図６は、本発明の一実施形態に係るプロファイルＤＢ３４を示す図である。
【００５１】
同図に示すように、プロファイルＤＢ３４は、ユーザＡの氏名（Ａ）と、ユーザＡによって選択された分類条件（例えば、大分類条件＝ペット、中分類条件＝犬、小分類条件＝柴犬）と、携帯端末１０ａに係る契約情報（例えば、年齢＝３０、性別＝男）と、携帯端末１０ａの位置情報（例えば、東京都・・・）と、携帯端末１０ａに係る履歴情報（例えば、ＵＲＬ：大分類条件＝ペット、中分類条件＝犬、小分類条件＝柴犬、アクセス回数＝３回）とを関連付けて記憶している。
【００５２】
分類条件ＤＢ３５は、携帯端末のネットワーク情報に対して設定された分類条件を記憶するデータベースである。具体的には、以下に示す通りである。図７は、本発明の一実施形態に係る分類条件ＤＢ３５を示す図である。
【００５３】
同図に示すように、分類条件ＤＢ３５は、大分類条件（例えば、ペット）と、中分類条件（例えば、犬や猫）と、小分類条件（例えば、柴犬やダックスフンド）とを関連付けて記憶している。
【００５４】
なお、本実施形態において、分類条件ＤＢ３５は、第２の携帯端末のネットワーク情報に対して設定された分類条件を管理する分類条件管理部を構成する。
【００５５】
表示データ生成部３６は、プロファイルＤＢ３４に記憶された携帯端末１０ａのネットワーク情報に基づいて、プロファイルＤＢ３４に記憶された分類条件（分類条件ＤＢ３５に記憶された分類条件の中からユーザＡによって選択された分類条件）に合致するグループを作成する。
【００５６】
例えば、表示データ生成部３６は、ユーザＡによって選択された分類条件が「ペット」（大分類条件）である場合には、「ペット」に関連付けられたＵＲＬ（又は、メールを送受信した相手先先や電話を発着信した相手先）へのアクセス回数が所定回数（例えば、３回）以上である携帯端末（ユーザ）を、プロファイルＤＢ３４の中から検索し、検索された携帯端末（ユーザ）が含まれたグループを作成する。また、表示データ生成部３６は、ユーザＡによって選択された分類条件が「犬」（中分類条件）である場合には、「犬」に関連付けられたＵＲＬ（メールを送受信した相手先又は電話を発着信した相手先）へのアクセス回数が所定回数（例えば、３回）以上である携帯端末（ユーザ）を、プロファイルＤＢ３４の中から検索し、検索された携帯端末（ユーザ）が含まれたグループを作成する。
【００５７】
また、表示データ生成部３６は、ユーザＡによって選択された分類条件が「国内」（大分類条件）である場合には、「国内」に係る位置情報の履歴を有する携帯端末（ユーザ）をプロファイルＤＢ３４の中から検索し、検索された携帯端末（ユーザ）が含まれたグループを作成する。また、表示データ生成部３６は、ユーザＡによって選択された分類条件が「関東」（中分類条件）である場合には、「関東」に係る位置情報の履歴を有する携帯端末（ユーザ）を、プロファイルＤＢ３４の中から検索し、検索された携帯端末（ユーザ）が含まれたグループを作成する。
【００５８】
表示データ生成部３６は、作成したグループに係る情報を生成する。ここで、グループに係る情報とは、分類条件ＤＢ３５に記憶された分類条件の中からユーザＡによって選択された分類条件に従って所定の座標軸が設定された座標空間上に、該分類条件に合致するグループを表示するための情報（表示データ）である。なお、グループに係る情報は、文字情報であってもよい。
【００５９】
具体的には、以下に示す通りである。図８（ａ）及び図８（ｂ）は、表示データ生成部３６によって生成されたグループに係る情報に基づいて、携帯端末１０ａの表示部１１ａに表示される画像の一例を示す図である。
【００６０】
図８（ａ）に示すように、携帯端末１０ａの表示部１１ａには、ユーザＡによって選択された分類条件が「国内」（大分類条件）及び「ペット」（大分類条件）である場合には、「国内」及び「ペット」に従って縦軸及び横軸が設定された座標空間上に、「国内」及び「ペット」に合致するグループが複数表示される。
【００６１】
具体的には、携帯端末１０ａの表示部１１ａには、大分類条件「国内」に関連付けられた複数の中分類条件（例えば、「関東」、「東北」）及び大分類条件「ペット」に関連付けられた複数の中分類条件（例えば、「犬」、「猫」）に合致するグループがそれぞれ表示される。
【００６２】
また、同図において、「関東」及び「犬」に合致するグループがユーザＡによって選択された場合には、該グループの詳細を示す画像（図８（ｂ）に示す画像）が表示される。
【００６３】
図８（ｂ）に示すように、携帯端末１０ａの表示部１１ａには、「関東」及び「犬」に従って縦軸及び横軸が設定された座標空間上に、「関東」及び「犬」に合致するグループが複数表示される。
【００６４】
具体的には、中分類条件「関東」に関連付けられた複数の小分類条件（例えば、「東京」、「神奈川」）及び中分類条件「犬」に関連付けられた複数の小分類条件（例えば、「柴犬」、「ダックスフンド」）に合致するグループがそれぞれ表示される。
【００６５】
また、ユーザＡは、図８（ｂ）に示す画像を参照して、作成しようとするコミュニティの範囲を指定する。例えば、同図においては、指定されたコミュニティの範囲は、分類条件（「東京」、「神奈川」及び「柴犬」）に合致するグループである。
【００６６】
なお、ユーザＡは、コミュニティサーバ３０によって提供されるポータルサイトにアクセスする毎に、分類条件ＤＢ３５に記憶された分類条件の中から分類条件を選択してもよい。
【００６７】
本実施形態において、表示データ生成部３６は、分類条件に合致する第２の携帯端末のグループを作成するグループ作成部を構成する。
【００６８】
コミュニティ管理部３７は、携帯端末１０ａ（ユーザＡ）と該携帯端末１０ａ（ユーザＡ）によって指定された範囲内のグループに属する携帯端末（ユーザ）との間で、所定のテーマに係る情報を交換するためのコミュニティを作成する。
【００６９】
具体的には、コミュニティ管理部３７は、携帯端末１０ａ（ユーザＡ）によって指定された範囲内のグループに属する携帯端末（ユーザ）に対して、コミュニティへの登録を勧誘するための勧誘情報（例えば、勧誘メール）を生成する。また、コミュニティ管理部３７は、勧誘情報に応じて返信されたコミュニティへの登録要求に基づいて、該登録要求を送信した携帯端末（ユーザ）と携帯端末１０ａ（ユーザＡ）とが登録されたコミュニティを作成する。
【００７０】
また、コミュニティ管理部３７は、コミュニティに登録された携帯端末（ユーザ）に係る情報を管理する。具体的には、コミュニティ管理部３７は、携帯端末（ユーザ）に係る情報（例えば、ユーザの氏名や携帯端末の電話番号）を、該携帯端末から取得する。
【００７１】
なお、本実施形態において、コミュニティ管理部３７は、第１の携帯端末と該第１の携帯端末によって指定された範囲内のグループに属する第２の携帯端末との間で所定の題材に係る情報を交換するためのコミュニティを作成するコミュニティ作成部を構成する。
【００７２】
コミュニティＤＢ３８は、コミュニティ管理部３７によって作成されたコミュニティに係る情報を記憶しているデータベースである。具体的には、コミュニティＤＢ３８は、コミュニティの名称、及び、該コミュニティに登録された携帯端末（ユーザ）の電話番号（氏名）等を関連付けて記憶している。
【００７３】
なお、本実施形態において、管理サーバ２０及びコミュニティサーバ３０は、異なるサーバによって構成されるもとのして説明したが、これに限定されるものではなく、同一のサーバによって構成されていてもよい。
【００７４】
（本発明の一実施形態に係るコミュニティサーバの動作）
以下において、本発明の一実施形態に係るコミュニティサーバの動作について、図面を参照しながら説明する。
【００７５】
まず、携帯端末のネットワーク情報を取得する際におけるコミュニティサーバの動きについて説明する。具体的には、以下に示す通りである。図９は、本発明の一実施形態に係るコミュニティサーバ３０の動作を示すシーケンス図である。なお、同図において、コミュニティサーバ３０は、携帯端末１０ａのネットワーク情報を取得するものとする。
【００７６】
同図に示すように、ステップ１１において、携帯端末１０ａは、コミュニティサーバ３０によって提供されるポータルサイトに登録するための登録要求を、コミュニティサーバ３０に送信する。
【００７７】
ステップ１２において、コミュニティサーバ３０は、携帯端末１０ａから受信した登録要求に応じて、該携帯端末１０ａに係る契約情報の送信を要求する契約情報要求を管理サーバ２０に送信する。
【００７８】
ステップ１３において、管理サーバ２０の契約情報管理部２５は、コミュニティサーバ３０から受信した契約情報要求に応じて、携帯端末１０ａに係る契約情報をコミュニティサーバ３０に送信する。
【００７９】
ステップ１４において、コミュニティサーバ３０のプロファイル管理部３３は、受信した携帯端末１０ａに係る契約情報をプロファイルＤＢ３４に記憶する。
【００８０】
ステップ１５において、管理サーバ２０の位置情報管理部２３は、携帯端末１０ａの位置情報を、ネットワーク４０（基地局や無線制御装置等）を介して取得する。
【００８１】
ステップ１６において、管理サーバ２０の位置情報管理部２３は、取得した携帯端末１０ａの位置情報をコミュニティサーバ３０に送信する。
【００８２】
ステップ１７において、コミュニティサーバ３０のプロファイル管理部３３は、受信した携帯端末１０ａの位置情報をプロファイルＤＢ３４に記憶する。
【００８３】
ステップ１８において、管理サーバ２０の位置情報管理部２３は、携帯端末１０ａに係る履歴情報を、ネットワーク４０（基地局や無線制御装置等）を介して取得する。
【００８４】
ステップ１９において、管理サーバ２０の位置情報管理部２３は、取得した携帯端末１０ａに係る履歴情報をコミュニティサーバ３０に送信する。
【００８５】
ステップ２０において、コミュニティサーバ３０のプロファイル管理部３３は、受信した携帯端末１０ａに係る履歴情報をプロファイルＤＢ３４に記憶する。
【００８６】
なお、ステップ１５〜ステップ１７における処理及びステップ１８〜ステップ２０における処理は、携帯端末１０ａの位置情報及び履歴情報に変更があった際に適宜行われるものとする。
【００８７】
次に、コミュニティを作成する際におけるコミュニティサーバの動きについて説明する。具体的には、以下に示す通りである。図１０は、本発明の一実施形態に係るコミュニティサーバ３０の動作を示すシーケンス図である。なお、同図において、コミュニティサーバ３０は、携帯端末１０ａと携帯端末１０ａによって指定された範囲内のグループに属する携帯端末と間で、所定のテーマに係る情報を交換するためのコミュニティを作成するものとする。
【００８８】
同図に示すように、ステップ３１において、携帯端末１０ａは、グループに係る情報（分類条件に従って所定の座標軸が設定された座標空間に、該分類条件に合致するグループを表示するための表示データ）の送信を要求する表示データ要求をコミュニティサーバ３０に送信する。
【００８９】
ステップ３２において、コミュニティサーバ３０の表示データ生成部３６は、プロファイルＤＢ３４に記憶された分類条件（分類条件ＤＢ３５に記憶された分類条件の中から携帯端末１０ａのユーザＡによって選択された分類条件）に合致するグループを作成する。
【００９０】
ステップ３３において、コミュニティサーバ３０の表示データ生成部３６は、作成したグループに係る情報（表示データ）を生成する。
【００９１】
具体的には、表示データ生成部３６は、ユーザＡによって選択された分類条件が「国内」（大分類条件）及び「ペット」（大分類条件）である場合には、「国内」及び「ペット」が縦軸及び横軸として設定された座標空間上に、「国内」及び「ペット」に合致するグループを複数表示するための表示データを生成する。
【００９２】
すなわち、表示データ生成部３６は、大分類条件「国内」に関連付けられた複数の中分類条件（例えば、「関東」、「東北」）及び大分類条件「ペット」に関連付けられた複数の中分類条件（例えば、「犬」、「猫」）に合致するグループをそれぞれ表示するための表示データを生成する（図８（ａ）を参照）。
【００９３】
なお、表示データ生成部３６は、グループの詳細について携帯端末１０ａから要求を受けた場合には、更に詳細な分類条件に合致するグループを表示するための表示データを生成する（図８（ｂ）を参照）。
【００９４】
ステップ３４において、コミュニティサーバ３０の表示データ生成部３６は、生成した表示データを携帯端末１０ａに送信する。
【００９５】
ステップ３５において、携帯端末１０ａの表示部１１ａは、受信した表示データに基づいて、分類条件に従った所定の座標軸が設定された座標空間上に、該分類条件に合致したグループを表示する（図８（ａ）及び図８（ｂ）を参照）。
【００９６】
ステップ３６において、携帯端末１０ａのユーザ（ユーザＡ）は、表示された画像（図８（ｂ）を参照）に基づいて、コミュニティへの登録を勧誘するグループの範囲を指定する。また、携帯端末１０ａは、指定された範囲内のグループ（同図では、分類条件（「東京」、「神奈川」及び「柴犬」）に合致するグループ）に属する他のユーザ（携帯端末）とコミュニティを作成するためのコミュニティ作成要求をコミュニティサーバ３０に送信する。
【００９７】
ステップ３７において、コミュニティサーバ３０は、コミュニティ作成要求に応じて、ユーザＡ（携帯端末１０ａ）によって指定された範囲内のグループに属する携帯端末に対して、コミュニティへの登録を勧誘するための勧誘情報（電子メール等）を送信する。
【００９８】
ステップ３８において、コミュニティ管理部３７は、勧誘情報に応じて返信されたコミュニティへの登録要求に基づいて、該登録要求を送信した携帯端末（ユーザ）と携帯端末１０ａ（ユーザＡ）とが登録されたコミュニティを作成する。
【００９９】
（本発明の一実施形態に係るコミュニティサーバの作用及び効果）
本発明の一実施形態に係るコミュニティサーバ３０によれば、該コミュニティサーバ３０が、管理サーバ２０によって管理される信頼性の高い情報（携帯端末の位置情報、携帯端末の契約情報、携帯端末の履歴情報）に対して設定された分類条件に合致するグループを作成するとともに、作成したグループに係る情報を携帯端末１０ａに送信することにより、コミュニティサーバ３０は、携帯端末１０ａのユーザＡと、該ユーザＡと共通の題材（テーマ）に興味を有する他のユーザとの間で、所定のテーマに係る情報を交換するためのコミュニティを作成することができる。
【０１００】
また、コミュニティサーバ３０が、分類条件に合致するグループを座標空間上に表示するための情報を携帯端末１０ａに送信することにより、携帯端末１０ａのユーザＡは、該ユーザＡと共通のテーマに興味を有する他のユーザが属するグループの範囲を、容易に指定することができる。
【０１０１】
さらに、コミュニティサーバ３０が、コミュニティへの登録を勧誘するための勧誘情報を、携帯端末１０ａによって指定された範囲内のグループに属するユーザ（携帯端末）に送信することにより、コミュニティサーバ３０は、携帯端末１０ａのユーザＡがコミュニティを作成する際における負担を軽減することができる。
【図面の簡単な説明】
【０１０２】
【図１】本発明の一実施形態に係るコミュニティサーバが設置される環境について示す図である。
【図２】本発明の一実施形態に係る管理サーバ２０の構成を示すブロック図である。
【図３】本発明の一実施形態に係る管理サーバ２０の構成を示すブロック図である。
【図４】本発明の一実施形態に係る履歴情報ＤＢ２８を示す図である。
【図５】本発明の一実施形態に係るコミュニティサーバ３０の構成を示すブロック図である。
【図６】本発明の一実施形態に係るプロファイルＤＢ３４を示す図である。
【図７】本発明の一実施形態に係る分類条件ＤＢ３５を示す図である。
【図８】本発明の一実施形態に係る携帯端末１０ａの表示部１１ａに表示される画像の一例を示す図である。
【図９】本発明の一実施形態に係るコミュニティサーバ３０の動作を示すシーケンス図である（その１）。
【図１０】本発明の一実施形態に係るコミュニティサーバ３０の動作を示すシーケンス図である（その２）。
【符号の説明】
【０１０３】
１０ａ〜１０ｃ・・・携帯端末、１１ａ〜１１ｃ・・・表示部、２０・・・管理サーバ、２１・・・受信部、２２・・・送信部、２３・・・位置情報管理部、２４・・・位置情報ＤＢ、２５・・・契約情報管理部、２６・・・契約情報ＤＢ、２７・・・履歴情報管理部、２８・・・履歴情報ＤＢ、３０・・・コミュニティサーバ、３１・・・受信部、３２・・・送信部、３３・・・プロファイル管理部、３４・・・プロファイルＤＢ、３５・・・分類条件ＤＢ、３６・・・表示データ生成部、３７・・・コミュニティ管理部、３８・・・コミュニティＤＢ、４０・・・ネットワーク
【図１】
2005209003.tif 000003
【図２】
2005209003.tif 000004
【図３】
2005209003.tif 000005
【図４】
2005209003.tif 000006
【図５】
2005209003.tif 000007
【図６】
2005209003.tif 000008
【図７】
2005209003.tif 000009
【図８】
2005209003.tif 000010
【図９】
2005209003.tif 000011
【図１０】
2005209003.tif 000012